(57)【要約】【課題】複数の異なる画像の制御を行うことが可能な画像投影装置を提供すること。【解決手段】画像を形成する画像用光線３４ａをユーザの眼球３６の瞳孔４０に投射することにより、前記眼球の網膜３８に前記画像を投影する投影部２４と、前記ユーザの顔に対し前記瞳孔の動いた方向及び前記瞳孔の動きの速さを検出する検出部２６と、前記瞳孔が同じ方向に異なる速さで動いたときに異なる前記画像の制御を行う制御部２０と、を備える画像投影装置。【選択図】図１
2017122775.tif 000002
【特許請求の範囲】
【請求項１】
画像を形成する画像用光線をユーザの眼球の瞳孔に投射することにより、前記眼球の網膜に前記画像を投影する投影部と、
前記ユーザの顔に対し前記瞳孔の動いた方向及び前記瞳孔の動きの速さを検出する検出部と、
前記瞳孔が同じ方向に異なる速さで動いたときに異なる前記画像の制御を行う制御部と、を備えることを特徴とする画像投影装置。
【請求項２】
前記制御部は、前記瞳孔の動きの速さが所定の速さ未満であると判定したときに前記画像の第１の制御を行い、前記瞳孔の動きの速さが前記所定の速さ以上であると判定したときに前記画像の第２の制御を行うことを特徴とする請求項１記載の画像投影装置。
【請求項３】
前記画像の制御は、前記画像の投影位置に関する制御及び前記画像の内容に関する制御の少なくとも一方を含むことを特徴とする請求項１または２記載の画像投影装置。
【請求項４】
前記制御部は、前記瞳孔の動きの速さが所定の速さ未満であるときには前記画像の投影位置に関する制御を行い、前記瞳孔の動きの速さが前記所定の速さ以上であるときには前記画像の内容に関する制御を行うことを特徴とする請求項１から３のいずれか一項記載の画像投影装置。
【請求項５】
前記網膜に投影される前記画像には、第１の画像と、前記第１の画像とは異なる第２の画像と、が含まれ、
前記制御部は、前記瞳孔の動きの速さが前記所定の速さ未満であるときには前記網膜に投影されている前記第１の画像が投影され続けるように前記画像用光線の投射位置を移動させ、前記瞳孔の動きの速さが前記所定の速さ以上であるときには前記網膜に投影されている前記第１の画像を前記第２の画像に切り替えることを特徴とする請求項４記載の画像投影装置。
【請求項６】
前記網膜に投影される前記画像は、電子書籍を構成するページに対応した画像であり、
前記制御部は、前記瞳孔の左右方向への動きの速さが前記所定の速さ以上であるときには前記電子書籍の前記ページを捲ることを特徴とする請求項４または５記載の画像投影装置。
【請求項７】
前記網膜に投影される前記画像は、複数のアイコンを含んだ画像であり、
前記制御部は、前記複数のアイコンの中から前記瞳孔が動いた方向及び動きの速さに応じたアイコンを選択することを特徴とする請求項１または２記載の画像投影装置。
【請求項８】
前記制御部は、前記瞳孔が異なる方向に動いたときには異なる前記画像の制御を行うことを特徴とする請求項１から７のいずれか一項記載の画像投影装置。
【請求項９】
前記瞳孔の径方向に並んで前記眼球の虹彩に投射される複数の検出用光線の反射光を検出する光検出器を備え、
前記検出部は、前記光検出器による前記複数の検出用光線の反射光の検出結果に基づき、前記瞳孔の動いた方向及び前記瞳孔の動きの速さを検出することを特徴とする請求項１から８のいずれか一項記載の画像投影装置。
【請求項１０】
画像を形成する画像用光線をユーザの眼球の瞳孔に投射することにより、前記眼球の網膜に前記画像を投影する投影部と、
前記瞳孔の径方向に並んで前記眼球の虹彩に投射される複数の検出用光線の反射光を検出する光検出器と、
前記光検出器による前記複数の検出用光線の反射光の検出結果に基づき、前記瞳孔が動いた方向及び前記瞳孔の動きの速さを検出する検出部と、
検出された前記瞳孔が動いた方向及び前記瞳孔の動きの速さに基づき、複数の異なる前記画像の制御を行う制御部と、を備えることを特徴とする画像投影装置。
【請求項１１】
前記複数の検出用光線は、前記瞳孔に対して複数の同心円状で前記虹彩に投射されることを特徴とする請求項９または１０記載の画像投影装置。
【請求項１２】
前記複数の検出用光線と前記画像用光線とは、同じ光源から出射されることを特徴とする請求項９から１１のいずれか一項記載の画像投影装置。
【発明の詳細な説明】
【技術分野】
【０００１】
本発明は、画像投影装置に関する。
【背景技術】
【０００２】
光源から出射された光線を用いユーザの網膜に画像を直接投影するヘッドマウントディスプレイ（ＨＭＤ）などの画像投影装置が知られている（例えば、特許文献１）。このような画像投影装置では、マックスウエル視といわれる方法が用いられる。マックスウエル視では、画像を形成する光線を瞳孔近傍で集束させ、網膜に画像を投影する。
【０００３】
また、ユーザの眼球の移動方向に応じて画像のスクロールやページ送りを行うと共に、ユーザの眼球の移動速度を認識して、認識した速度に応じてスクロール量を決定する画像投影装置が知られている（例えば、特許文献２）。また、ユーザの眼がサッカード運動を起こしている時の視線の速度と眼精疲労度とを対応させ、眼精疲労度に応じて警告メッセージを異ならせる画像投影装置が知られている（例えば、特許文献３）。
【先行技術文献】
【特許文献】
【０００４】
【特許文献１】国際公開第２０１４／１９２４７９号
【特許文献２】特開２０１０−１５２４４３号公報
【特許文献３】特開２０１２−１３７６３９号公報
【発明の概要】
【発明が解決しようとする課題】
【０００５】
しかしながら、ユーザの眼球の移動方向に応じて画像を制御するだけでは、複数の異なる画像の制御を行う点で改善の余地が残されている。
【０００６】
本発明は、上記課題に鑑みなされたものであり、複数の異なる画像の制御を行うことが可能な画像投影装置を提供することを目的とする。
【課題を解決するための手段】
【０００７】
本発明は、画像を形成する画像用光線をユーザの眼球の瞳孔に投射することにより、前記眼球の網膜に前記画像を投影する投影部と、前記ユーザの顔に対し前記瞳孔の動いた方向及び前記瞳孔の動きの速さを検出する検出部と、前記瞳孔が同じ方向に異なる速さで動いたときに異なる前記画像の制御を行う制御部と、を備えることを特徴とする画像投影装置である。
【０００８】
上記構成において、前記制御部は、前記瞳孔の動きの速さが所定の速さ未満であると判定したときに前記画像の第１の制御を行い、前記瞳孔の動きの速さが前記所定の速さ以上であると判定したときに前記画像の第２の制御を行う構成とすることができる。
【０００９】
上記構成において、前記画像の制御は、前記画像の投影位置に関する制御及び前記画像の内容に関する制御の少なくとも一方を含む構成とすることができる。
【００１０】
上記構成において、前記制御部は、前記瞳孔の動きの速さが所定の速さ未満であるときには前記画像の投影位置に関する制御を行い、前記瞳孔の動きの速さが前記所定の速さ以上であるときには前記画像の内容に関する制御を行う構成とすることができる。
【００１１】
上記構成において、前記網膜に投影される前記画像には、第１の画像と、前記第１の画像とは異なる第２の画像と、が含まれ、前記制御部は、前記瞳孔の動きの速さが前記所定の速さ未満であるときには前記網膜に投影されている前記第１の画像が投影され続けるように前記画像用光線の投射位置を移動させ、前記瞳孔の動きの速さが前記所定の速さ以上であるときには前記網膜に投影されている前記第１の画像を前記第２の画像に切り替える構成とすることができる。
【００１２】
上記構成において、前記網膜に投影される前記画像は、電子書籍を構成するページに対応した画像であり、前記制御部は、前記瞳孔の左右方向への動きの速さが前記所定の速さ以上であるときには前記電子書籍の前記ページを捲る構成とすることができる。
【００１３】
上記構成において、前記網膜に投影される前記画像は、複数のアイコンを含んだ画像であり、前記制御部は、前記複数のアイコンの中から前記瞳孔が動いた方向及び動きの速さに応じたアイコンを選択する構成とすることができる。
【００１４】
上記構成において、前記制御部は、前記瞳孔が異なる方向に動いたときには異なる前記画像の制御を行う構成とすることができる。
【００１５】
上記構成において、前記瞳孔の径方向に並んで前記眼球の虹彩に投射される複数の検出用光線の反射光を検出する光検出器を備え、前記検出部は、前記光検出器による前記複数の検出用光線の反射光の検出結果に基づき、前記瞳孔の動いた方向及び前記瞳孔の動きの速さを検出する構成とすることができる。
【００１６】
本発明は、画像を形成する画像用光線をユーザの眼球の瞳孔に投射することにより、前記眼球の網膜に前記画像を投影する投影部と、前記瞳孔の径方向に並んで前記眼球の虹彩に投射される複数の検出用光線の反射光を検出する光検出器と、前記光検出器による前記複数の検出用光線の反射光の検出結果に基づき、前記瞳孔が動いた方向及び前記瞳孔の動きの速さを検出する検出部と、検出された前記瞳孔が動いた方向及び前記瞳孔の動きの速さに基づき、複数の異なる前記画像の制御を行う制御部と、を備えることを特徴とする画像投影装置である。
【００１７】
上記構成において、前記複数の検出用光線は、前記瞳孔に対して複数の同心円状で前記虹彩に投射される構成とすることができる。
【００１８】
上記構成において、前記複数の検出用光線と前記画像用光線とは、同じ光源から出射される構成とすることができる。
【発明の効果】
【００１９】
本発明によれば、複数の異なる画像の制御を行うことができる。
【図面の簡単な説明】
【００２０】
【図１】図１は、実施例１に係る画像投影装置の上視図である。
【図２】図２は、図１の投射部近傍を拡大した図である。
【図３】図３（ａ）は、第１ミラーの振動を示す図、図３（ｂ）は、画像用光線と検出用光線の出射タイミングを示すタイミングチャートである。
【図４】図４は、検出用光線の照射位置を示す眼球の正面図である。
【図５】図５は、反射光を検出する検出タイミングを示すタイミングチャートである。
【図６】図６（ａ）から図６（ｃ）は、投射部及び眼球の上視図である。
【図７】図７は、実施例１における制御部及び検出部の動作を示すフローチャートである。
【図８】図８は、実施例１における制御部及び検出部の動作を示すフローチャートである。
【図９】図９は、実施例２における制御部及び検出部の動作を示すフローチャートである。
【図１０】図１０（ａ）から図１０（ｃ）は、実施例２における瞳孔の動きと画像用光線の制御とを示す眼球の上視図である。
【図１１】図１１は、実施例２における瞳孔の動きと画像の制御とを示す図である。
【図１２】図１２（ａ）及び図１２（ｂ）は、画像用光線と複数の検出用光線の眼球への投射位置の変化を説明する図である。
【図１３】図１３は、画像用光線と複数の検出用光線の眼球への投射位置の変化を説明する図である。
【図１４】図１４は、実施例２において制御部が有するテーブルを示す図である。
【図１５】図１５は、実施例３における瞳孔の動きと画像の制御とを示す図である。
【図１６】図１６は、実施例４における制御部及び検出部の動作を示すフローチャートである。
【図１７】図１７は、実施例４においてユーザの網膜に投影される画像を示す図である。
【発明を実施するための形態】
【００２１】
以下、図面を参照しつつ、本発明の実施例について説明する。
【実施例１】
【００２２】
図１は、実施例１に係る画像投影装置の上視図である。図２は、図１の投射部近傍を拡大した図である。なお、実施例１の画像投影装置は、ユーザに画像を視認させるための画像用光線が当該ユーザの眼球の網膜に直接投射される、マクスウェル視を利用した網膜投影型ヘッドマウントディスプレイである。
【００２３】
実施例１の画像投影装置１００は、図１のように、光検出器１８、制御部２０、投影部２４および検出部２６を備える。投影部２４は、光源１２、第１ミラー１４、第２ミラー１５、第３ミラー１７、第４ミラー４４、投射部１６、位置調整部２２を備える。光源１２は、メガネ型フレームのツル３０に配置されている。光源１２は、制御部２０の指示の下、例えば単一又は複数の波長の光線３４を出射する。この光線３４には、ユーザの眼球３６の網膜３８に画像を投影するための画像用光線と、ユーザの眼球３６の瞳孔４０の動き及びユーザの瞼の開閉を検出するための検出用光線と、が含まれる。検出用光線は、画像用光線と同じ光源１２から出射されることから、画像用光線と同じく可視光である。光源１２は、例えば赤色レーザ光（波長：６１０ｎｍ〜６６０ｎｍ程度）、緑色レーザ光（波長：５１５ｎｍ〜５４０ｎｍ程度）、及び青色レーザ光（波長：４４０ｎｍ〜４８０ｎｍ程度）を出射する。赤色、緑色、及び青色レーザ光を出射する光源１２として、例えばＲＧＢ（赤・緑・青）それぞれのレーザダイオードチップと３色合成デバイスとマイクロコリメートレンズとが集積された光源が挙げられる。
【００２４】
第１ミラー１４は、メガネ型フレームのツル３０に配置されている。第１ミラー１４は、光源１２から出射された画像用光線を、水平方向及び垂直方向に走査する。また、第１ミラー１４は、光源１２から出射された検出用光線を反射する。第１ミラー１４は、例えばＭＥＭＳ（Micro Electro Mechanical System）ミラーである。なお、光源１２から出射された光線３４は、例えば第２ミラー１５及び第３ミラー１７で反射されて、第１ミラー１４に入射する。
【００２５】
図３（ａ）は、第１ミラーの振動を示す図である。図３（ａ）と後述の図３（ｂ）とを用いて画像用光線と検出用光線について説明する。なお、図３（ａ）及び図３（ｂ）では、説明の明瞭化のために検出用光線の個数を省略している。第１ミラー１４によって画像用光線を走査して網膜３８に画像を投影する方法として、画像の左上から右下まで光を高速に走査して画像を表示する方法（例えばラスタースキャン）がある。図３（ａ）のように、第１ミラー１４は、画像用光線３４ａを走査するために、網膜３８に投影する画像の範囲（図３（ａ）の破線範囲）よりも大きく、水平方向（第１方向）と垂直方向（第１方向に交差する第２方向）とに振動する。第１ミラー１４の振動を符号５０で示している。
【００２６】
第１ミラー１４が大きく振れた箇所で画像用光線３４ａを走査して網膜３８に画像を投影する場合、画像の歪みが大きくなることから、画像用光線３４ａは、第１ミラー１４の振れが小さい箇所で走査される。一方、検出用光線３４ｂは、第１ミラー１４の振動５０のうち、画像用光線３４ａが走査されないタイミングで、第１ミラー１４に入射する。言い換えると、光源１２は、第１ミラー１４の振動５０において、網膜３８に投影する画像の範囲に相当する期間では画像用光線３４ａを第１ミラー１４に出射し、画像の範囲外の時間において検出用光線３４ｂを第１ミラー１４に出射する。
【００２７】
図３（ｂ）は、画像用光線と検出用光線の出射タイミングを示すタイミングチャートであり、第１ミラー１４が図３（ａ）の点Ａから点Ｂまで振動した場合における画像用光線３４ａと検出用光線３４ｂの光源１２からの出射タイミングである。なお、検出用光線３４ｂの光強度は、画像用光線３４ａと同じであってもよいし、異なっていてもよい。検出用光線３４ｂの光強度は、後述する光検出器１８で反射光４６が検出できる程度の光強度であればよい。また、検出用光線３４ｂは、単一波長の光線でよく、網膜３８に投影する画像の１画素又は数画素相当の光線でよい。なお、図３（ａ）では、画像用光線３４ａは矩形状に走査される場合を例に示しているが、この場合に限られず、台形状に走査される場合など、その他の場合でもよい。
【００２８】
図１及び図２のように、第１ミラー１４で走査された画像用光線３４ａ及び第１ミラー１４で反射された検出用光線３４ｂは、第４ミラー４４によって、メガネ型フレームのレンズ３２に向かって反射される。投射部１６が、レンズ３２の眼球３６側の面に配置されているため、第１ミラー１４で走査された画像用光線３４ａ及び第１ミラー１４で反射された検出用光線３４ｂは、投射部１６に入射する。投射部１６は、画像用光線３４ａが入射される第１領域１６ａでは、自由曲面又は自由曲面と回折面の合成構造をしたハーフミラーとなっている。これにより、投射部１６に入射された画像用光線３４ａは、眼球３６の瞳孔４０近傍で収束した後に網膜３８に投射される。よって、ユーザは、画像用光線３４ａで形成される画像を認識することができると共に、外界像をシースルーで視認することができる。一方、投射部１６は、検出用光線３４ｂが入射される第２領域１６ｂでは、第１領域１６ａと光学的に不連続な形状をしたハーフミラーとなっている。これにより、検出用光線３４ｂは、画像用光線３４ａが瞳孔４０を通過して網膜３８に投射される場合に、眼球３６の虹彩４２に投射される。このように、画像用光線３４ａが投射される眼球３６の表面領域を第１表面領域３６ａとした場合に、検出用光線３４ｂは、眼球３６の第１表面領域３６ａから離れた第２表面領域３６ｂに投射される。
【００２９】
図４は、検出用光線の照射位置を示す眼球の正面図である。図４を用いて、画像用光線３４ａと検出用光線３４ｂの眼球３６への投射について説明する。図４のように、複数の検出用光線３４ｂが、画像用光線３４ａが瞳孔４０の中心近傍を通過して網膜３８に投射される場合に、虹彩４２に投射される。複数の検出用光線３４ｂは、瞳孔４０に対して複数の同心円状に散在し、瞳孔４０の径方向に並んで、虹彩４２に投射される。投射部１６の第２領域１６ｂが第１領域１６ａに光学的に不連続となっているため、画像用光線３４ａが瞳孔４０を通過して網膜３８に投射されつつ、複数の検出用光線３４ｂが虹彩４２に投射されることが可能となる。また、画像用光線３４ａと複数の検出用光線３４ｂは、第１ミラー１４の振動に対して所定のタイミングで光源１２から出射される。すなわち、画像用光線３４ａと複数の検出用光線３４ｂの相対的な出射タイミングは固定されている。このため、画像用光線３４ａと複数の検出用光線３４ｂは、相対的な位置関係が固定されて、眼球３６に投射される。また、図３（ａ）のように、複数の検出用光線３４ｂは、第１ミラー１４の振動５０の異なる位置で反射された光であることから、虹彩４２の異なる位置に異なる時間（異なるタイミング）で投射される。すなわち、複数の検出用光線３４ｂは、虹彩４２の異なる位置に順々に投射される。
【００３０】
図１及び図２のように、光検出器１８が、レンズ３２のフレームに配置されている。光検出器１８は、例えばフォトディテクタである。光検出器１８は、複数の検出用光線３４ｂが虹彩４２で反射した反射光４６を検出する。図５は、反射光を検出する検出タイミングを示すタイミングチャートである。図５を用いて、制御部２０が光検出器１８を用いて反射光４６を検出する検出タイミングを説明する。なお、図５では、説明の明瞭化のために検出用光線の個数を省略している。図５のように、制御部２０は、光源１２から検出用光線３４ｂを出射させたタイミングで、光検出器１８を用いて反射光４６の検出を行う。これにより、複数の検出用光線３４ｂのうちのどの検出用光線３４ｂの反射光４６が検出されていないかが分かる。なお、光検出器１８の性能などを考慮し、反射光４６の検出の時間に幅を持たせてもよい。
【００３１】
なお、図１及び図２では、光検出器１８が、レンズ３２の中央近傍に配置された場合を例に示したが、反射光４６を検出できる場所であれば、例えばレンズ３２のツル３０近傍や鼻パッド（不図示）近傍などに配置されてもよい。なお、複数の検出用光線３４ｂが虹彩４２に投射される場合であっても、上述したように、複数の検出用光線３４ｂは虹彩４２に順々に投射されることから、１つの光検出器１８で複数の検出用光線３４ｂの反射光４６を検出することができる。
【００３２】
ＣＰＵ（Central Processing Unit）等のプロセッサ並びにＲＡＭ（Random Access Memory）及びＲＯＭ（Read Only Memory）等のメモリは、制御部２０及び検出部２６として機能する。プロセッサ及びメモリは、外部装置（例えば携帯端末など）に設けられている。プロセッサは、メモリに記憶されたプログラムに従って、制御部２０及び検出部２６として機能する。制御部２０と検出部２６は異なるプロセッサにより機能してもよいし、同じプロセッサにより機能してもよい。
【００３３】
制御部２０は、投影部２４を制御する。制御部２０は、入力された画像データに基づく画像用光線３４ａと、瞳孔４０の動き及び瞼の開閉を検出するための検出用光線３４ｂと、を光源１２から出射させる。また、制御部２０は、検出部２６での検出結果に基づいて、光源１２及び第１ミラー１４などを含む光学系を制御する。例えば、制御部２０は、光源１２からの画像用光線３４ａ及び／又は検出用光線３４ｂを含む光線の出射を制御する。例えば、制御部２０は、位置調整部２２を駆動させて第１ミラー１４の位置を移動させると共に、第１ミラー１４の移動に合わせて第３ミラー１７と第４ミラー４４の位置を移動させる制御を行う。
【００３４】
検出部２６は、光検出器１８の検出結果に基づき、瞳孔４０の動いた方向及び動きの速さ並びに瞼の開閉を検出する。図６（ａ）から図６（ｃ）を用いて、光検出器１８を用いた反射光４６の検出について説明する。図６（ａ）から図６（ｃ）は、投射部及び眼球の上視図である。図６（ａ）は、画像用光線３４ａが瞳孔４０を通過し、複数の検出用光線３４ｂの全てが虹彩４２に投射される場合を示す図である。図６（ｂ）は、眼球３６が回転したことで、複数の検出用光線３４ｂの一部が瞳孔４０を通過して虹彩４２に投射されなくなった場合を示す図である。図６（ｃ）は、瞼３７が閉じたことで、複数の検出用光線３４ｂの全てが虹彩４２に投射されなくなった場合を示す図である。
【００３５】
検出用光線３４ｂが虹彩４２に投射された場合は比較的大きな反射光４６が生じる。一方、眼球３６の回転によって検出用光線３４ｂが瞳孔４０を通過して網膜３８に投射された場合や瞼３７が閉じたことによって検出用光線３４ｂが瞼３７に投射された場合は反射光４６が生じ難い。つまり、図６（ａ）の場合には、光検出器１８は、複数の検出用光線３４ｂの全てにおいて比較的大きな反射光４６を検出する。一方、図６（ｂ）の場合には、光検出器１８は、複数の検出用光線３４ｂのうちの一部において反射光４６を検出しないことが起こり、図６（ｃ）の場合には、光検出器１８は、複数の検出用光線３４ｂの全てにおいて反射光４６を検出しないことが起こる。すなわち、ユーザが眼球３６を動かした場合には、光検出器１８は複数の検出用光線３４ｂのうちの一部の反射光４６を検出しなくなる。ユーザが瞼３７を閉じた場合には、光検出器１８は複数の検出用光線３４ｂの全ての反射光４６を検出しなくなる。
【００３６】
このように、光検出器１８は、ユーザの眼球３６において反射した複数の検出用光線３４ｂの反射光４６を検出する。画像用光線３４ａが照射された位置から反射光４６を検出しなくなった検出用光線３４ｂに対応する位置への方向は、瞳孔４０が動いた方向に相当する。そこで、検出部２６は、この方向を瞳孔４０が動いた方向（すなわち、眼球３６の回転方向）として検出する。また、図４のように、複数の検出用光線３４ｂは瞳孔４０の径方向に並んで眼球３６に投射される。瞳孔４０の径方向に並ぶ検出用光線３４ｂの間隔を予め設定しておくことで、光検出器１８が瞳孔４０の径方向のうちの内側に位置する検出用光線３４ｂの反射光４６を検出しなくなってからより外側に位置する検出用光線３４ｂの反射光４６を検出しなくなるまでの時間から、瞳孔４０の動きの速さが分かる。例えば、瞳孔４０が第１ミラー１４による垂直方向の振動（垂直方向の走査）よりも長い時間をかけて検出用光線３４ｂ間の距離を移動した場合に、瞳孔４０の動きの速さが分かる。そこで、検出部２６は、光検出器１８の検出結果に基づいて、瞳孔４０の動きの速さを検出する。
【００３７】
また、光検出器１８が複数の検出用光線３４ｂの全ての反射光４６を検出しない場合は、ユーザの瞼３７が閉じていることに相当する。そこで、検出部２６は、光検出器１８が複数の検出用光線３４ｂの全ての反射光４６を検出しない場合は、ユーザの瞼３７が閉じていると検出する。
【００３８】
なお、上述の記載から明らかなように、光検出器１８が反射光４６を検出しないとは、所定値以上の大きさの反射光４６を検出しないことをいう。すなわち、光検出器１８が検出する反射光４６の強度が所定値以下のとき、検出部２６は、反射光４６を検出しないと判定できる。
【００３９】
実施例１における制御部２０及び検出部２６の動作について説明する。図７は、実施例１における制御部及び検出部の動作を示すフローチャートである。図７のように、光検出器１８による検出用光線の検出に基づいて、検出部２６は、瞳孔４０が動いた方向及び瞳孔４０の動きの速さを検出する（ステップＳ１０）。ここでは、検出部２６が検出した瞳孔４０の動いた方向が第１の方向であったとする。
【００４０】
次いで、制御部２０は、検出部２６で検出された瞳孔４０の動きの速さを判定する（ステップＳ１２）。瞳孔４０の動きの速さが第１の速さ未満であった場合、制御部２０は、ユーザの網膜３８に投影されている画像に対して第１の制御を行う（ステップＳ１４）。瞳孔４０の動きが第１の速さ以上且つ第２の速さ未満であった場合、制御部２０は、ユーザの網膜３８に投影されている画像に対して第２の制御を行う（ステップＳ１６）。瞳孔４０の動きが第２の速さ以上であった場合、制御部２０は、ユーザの網膜３８に投影されている画像に対して第３の制御を行う（ステップＳ１８）。
【００４１】
以上のように、実施例１によれば、投影部２４は、画像を形成する画像用光線３４ａをユーザの眼球３６の瞳孔４０に投射することにより、眼球３６の網膜３８に画像を投影する。図７のステップＳ１０のように、検出部２６は、ユーザの瞳孔４０が動いた方向と動きの速さとを検出する。ステップＳ１２〜Ｓ１８のように、制御部２０は、ユーザの瞳孔４０が同じ方向に異なる速さで動いたときに異なる画像の制御を行う。これにより、瞳孔４０の速さに応じて画像の制御を行うことができるため、複数の異なる画像の制御が可能となる。
【００４２】
また、実施例１によれば、光検出器１８は、瞳孔４０の径方向に並んで眼球３６の虹彩４２に投射される複数の検出用光線３４ｂの反射光４６を検出する。検出部２６は、光検出器１８による複数の検出用光線３４ｂの反射光４６の検出結果に基づき、瞳孔４０が動いた方向及び瞳孔４０の動きの速さを検出する。これにより、瞳孔４０の動いた方向及び動きの速さを精度良く検出することができ、ユーザの意図に沿った画像の制御を精度良く行うことができる。
【００４３】
また、実施例１によれば、図４のように、複数の検出用光線３４ｂは、瞳孔４０の周りを囲んで、瞳孔４０に対して複数の同心円状で虹彩４２に投射される。これにより、瞳孔４０の動いた方向及び動きの速さを精度良く検出することができる。
【００４４】
また、実施例１によれば、画像用光線３４ａと複数の検出用光線３４ｂとは、同じ光源１２から出射される。これにより、画像用光線３４ａと複数の検出用光線３４ｂとで光学系を共有できるため、画像投影装置の小型化が可能となる。
【００４５】
なお、図７では、瞳孔４０が同じ方向に異なる速さで動いたときに異なる制御をすることを説明したが、これに加えて、瞳孔４０が異なる方向に動いたときに異なる制御をするようにしてもよい。このことを、図８を用いて説明する。図８は、実施例１における制御部及び検出部の動作を示すフローチャートである。図８のように、光検出器１８による検出用光線３４ｂの検出に基づいて、検出部２６は、瞳孔４０が動いた方向及び瞳孔４０の動きの速さを検出する（ステップＳ３０）。ここでは、検出部２６が検出した瞳孔４０の動きの速さが第１の速さであったとする。
【００４６】
次いで、制御部２０は、検出部２６で検出された瞳孔４０の動いた方向を判定する（ステップＳ３２）。瞳孔４０の動いた方向が第１の方向であった場合、制御部２０は、ユーザの網膜３８に投影されている画像に対して第２の制御を行う（ステップＳ３４）。瞳孔４０の動いた方向が第２の方向であった場合、制御部２０は、ユーザの網膜３８に投影されている画像に対して第４の制御を行う（ステップＳ３６）。瞳孔４０の動いた方向が第３の方向であった場合、制御部２０は、ユーザの網膜３８に投影されている画像に対して第５の制御を行う（ステップＳ３８）。
【００４７】
このように、制御部２０は、瞳孔４０が異なる方向に動いたときには異なる画像の制御を行ってもよい。図７で説明した瞳孔４０が同じ方向に異なる速さで動いたときに異なる画像の制御を行うことに、図８で説明した瞳孔４０が異なる方向に動いたときに異なる制御を行うことを加えることで、より多くの異なる画像の制御が可能となる。例えば、瞳孔４０が同じ方向に３通りの速さで動いたときにそれぞれ異なる画像の制御をし、且つ瞳孔４０が同じ速さで３つの異なる方向に動いたときにそれぞれ異なる画像の制御をすることで、９つの異なる画像の制御が可能となる。
【００４８】
なお、実施例１において、画像の第１の制御から第５の制御は、画像の投影位置に関する制御及び画像の内容に関する制御の少なくとも一方を含むことができる。画像の投影位置に関する制御には、例えば画像用光線３４ａの投射位置を移動させる制御が含まれる。この点の詳細については後述する。画像の内容に関する制御には、例えば静止画を別の静止画に切り替える場合や、動画を停止や早送り等する場合や、カメラからの画像を別のカメラからの画像に切り替える場合や、画像を拡大・縮小する場合や、シースルーで見えている外界の画像にアイコンなどを重畳させる場合や、画像の色や明るさ等を変更する場合など、投影されている画像を現在の状態から意図的に変える制御が含まれる。
【００４９】
例えば、動画の画像が投影されている場合、瞳孔４０の動きの速さに応じて（画像の第１の制御から第３の制御で）、動画の再生速度や早送り・巻き戻し速度を変えてもよい。例えば瞳孔４０の動きの速さに応じて、画像の縮小率や拡大率を変えてもよい。例えば瞳孔４０の動きの速さに応じて、画像の色や明るさを変えてもよい。
【００５０】
なお、実施例１では、瞳孔４０の動きの速さを３段階に分けた場合を例に示したが、２段階や４段階以上に分けてもよい。同様に、瞳孔４０の動いた方向を３段階に分けた場合を例に示したが、２段階や４段階以上に分けてもよい。
【００５１】
なお、実施例１では、瞳孔４０の動いた方向及び動きの速さを、画像用光線３４ａと同じ光源１２から出射された複数の検出用光線３４ｂの反射光４６に基づき検出している。しかしながら、瞳孔４０の動いた方向及び動きの速さはその他の方法で検出してもよい。例えば、複数の検出用光線３４ｂは赤外線などの画像用光線３４ａと別の光源から出射された光でもよい。
【実施例２】
【００５２】
実施例２に係る画像投影装置は、実施例１の図１と同じであるため説明を省略する。図９は、実施例２における制御部及び検出部の動作を示すフローチャートである。図１０（ａ）から図１０（ｃ）は、実施例２における瞳孔の動きと画像用光線の制御とを示す眼球の上視図である。図１１は、実施例２における瞳孔の動きと画像の制御とを示す図である。
【００５３】
図１０（ａ）のように、瞳孔４０が動く前において、制御部２０は、瞳孔４０内で画像用光線３４ａが集束し、網膜３８に画像用光線３４ａが投射されるように、投影部２４を制御している。画像用光線３４ａは、瞳孔４０のほぼ正面から入射し且つ瞳孔４０のほぼ中心を通過する。
【００５４】
図９のように、光検出器１８による検出用光線３４ｂの検出に基づいて、検出部２６は、瞳孔４０が動いた方向及び瞳孔４０の動きの速さを検出する（ステップＳ５０）。次いで、制御部２０は、瞳孔４０の動きの速さが所定の速さ以上であったか否かを判定する（ステップＳ５２）。瞳孔４０の動きの速さが所定の速さ以上であった場合（ステップＳ５２：Ｙｅｓ）、制御部２０は、投影部２４を制御して、網膜３８に投影されている画像の内容に関する制御を行う（ステップＳ５４）。例えば、図１１のように、瞳孔４０が動く前においては、ユーザの網膜３８に静止画Ａの画像８０が投影されていたとする。瞳孔４０が上方向に所定の速さ以上で動いたときは、制御部２０はユーザの網膜３８に静止画Ｂの画像８０が投影されるようにする。瞳孔４０が左方向に所定の速さ以上で動いたときは、制御部２０はユーザの網膜３８に静止画Ｃの画像８０が投影されるようにする。瞳孔４０が下方向に所定の速さ以上で動いたときは、制御部２０はユーザの網膜３８に静止画Ｄの画像８０が投影されるようにする。瞳孔４０が右方向に所定の速さ以上で動いたときは、制御部２０はユーザの網膜３８に静止画Ｅの画像８０が投影されるようにする。
【００５５】
瞳孔４０の動きの速さが所定の速さ未満であった場合、ユーザは、画像の内容の制御を意図せず、別の理由によって瞳を動かしたことが想定される。画像投影装置１００はユーザの頭及び／又は顔に固定されていることから、瞳孔４０が動いたことが検出された場合は、瞳孔４０はユーザの頭及び／又は顔に対して動いていることになる。このため、図１０（ｂ）のように、瞳孔４０が左方向５２に動いた場合には、画像用光線３４ａの少なくとも一部が虹彩４２に投射されてしまい、画像用光線３４ａの少なくとも一部が網膜３８に投射されないことが生じる。
【００５６】
図９のように、瞳孔４０の動きの速さが所定の速さ未満であった場合（ステップＳ５２：Ｎｏ）、制御部２０は、画像が網膜３８に投影されるように、画像の投影位置に関する制御を行う（ステップＳ５６）。例えば、制御部２０は、画像用光線３４ａが瞳孔４０に投射されるように、投影部２４を制御する。図１０（ｃ）のように、制御部２０は、矢印５６のように、画像用光線３４ａの投射位置を瞳孔４０の動いた左方向５２に移動させる。これにより、画像用光線３４ａは瞳孔４０のほぼ中心を通過するようになる。さらに、制御部２０は、矢印５８のように、画像用光線３４ａの照射方向を瞳孔４０が動いた左方向に傾斜させる。これにより、画像用光線３４ａは瞳孔４０のほぼ正面から入射する。よって、ユーザは、瞳孔４０が動く前と同じ画像を視認できる。すなわち、図１１の場合では、ユーザは静止画Ａの画像８０を見続けることができる。
【００５７】
ここで、図９のステップＳ５６の具体的な例を説明する。上述したように、制御部２０は、検出部２６での検出結果に基づいて、位置調整部２２を駆動させて第１ミラー１４の位置を移動させると共に、第１ミラー１４の移動に合わせて第３ミラー１７と第４ミラー４４の位置を移動させる。これにより、画像用光線３４ａの走査の原点を移動させることができる。画像用光線３４ａの走査の原点が移動することで、画像用光線３４ａ及び複数の検出用光線３４ｂの眼球３６への投射位置を移動させることができる。このことについて、図１２（ａ）から図１３を用いて説明する。
【００５８】
図１２（ａ）から図１３は、画像用光線と複数の検出用光線の眼球への投射位置の変化を説明する図である。なお、図１３は、図１２（ａ）と図１２（ｂ）を合わせた状態を図示していて、図１２（ａ）の状態を点線で、図１２（ｂ）の状態を実線で示している。
【００５９】
図１２（ａ）及び図１３の点線は、画像用光線３４ａが瞳孔４０の中心近傍を通過する場合を示している。図１２（ａ）及び図１３の点線の状態から、図１２（ｂ）及び図１３の実線のように、位置調整部２２を駆動させて第１ミラー１４の位置を移動させると共に、第１ミラー１４の移動に合わせて第３ミラー１７及び第４ミラー４４の位置を移動させることで、画像用光線３４ａの走査の原点がＯからＯ´に移動する。なお、走査の原点が移動しても、網膜３８に投影される画像の中央部に対応する画像用光線３４ａの投射部１６への入射位置はほとんど変化しないようにする。これは、網膜３８に投影される画像の品質の劣化や、検出用光線３４ｂの投射部１６への入射位置の変化などを抑制するためである。
【００６０】
このような画像用光線３４ａの走査の原点の移動によって、画像用光線３４ａ及び検出用光線３４ｂの投射部１６への入射角度が変化し、その結果、画像用光線３４ａ及び検出用光線３４ｂの眼球３６への投射位置が移動する。画像用光線３４ａと検出用光線３４ｂは、互いの眼球３６への投射位置の相対的な位置関係は固定されたまま連動して移動する。例えば、図１２（ａ）及び図１３の点線のように、画像用光線３４ａが瞳孔４０の中心近傍を通過していた状態から、図１２（ｂ）及び図１３の実線のように、画像用光線３４ａが瞳孔４０の中心よりも端側を通過する状態に変化する。このように、位置調整部２２によって第１ミラー１４の位置を移動させると共に、第１ミラー１４の移動に合わせて第３ミラー１７及び第４ミラー４４の位置を移動させて、画像用光線３４ａの走査の原点を移動させることで、画像用光線３４ａと検出用光線３４ｂの眼球３６への投射位置を連動して移動させることができる。なお、第１ミラー１４などは円弧状に移動する場合が好ましいが、図１３の矢印方向及び図１３の紙面に垂直方向（前記矢印に垂直方向）に直線状に移動する場合でもよい。この場合、位置調整部２２として、２軸方向への移動を可能とする２軸アクチュエータ（例えば超音波アクチュエータ）を用いることができる。
【００６１】
以上のように、実施例２によれば、制御部２０は、瞳孔４０の動きの速さが所定の速さ未満であったときには、網膜３８に投影されている画像の投影位置に関する制御を行う。例えば、制御部２０は、網膜３８に投影されている静止画Ａの画像８０が投影され続けるように画像用光線３４ａの投射位置を移動させる。また、制御部２０は、瞳孔４０の動きの速さが所定の速さ以上であったときには、網膜３８に投影されている画像の内容に関する制御を行う。例えば、制御部２０は、網膜３８に投影されている静止画Ａの画像８０を静止画Ｂ〜Ｅの画像８０に切り替える。これにより、ユーザは瞳を速く動かすことで画像の内容に関する制御（例えば画像の切り替え）を行うことができると共に、ユーザが画像の内容の制御を意図せずに瞳を動かした場合に、瞳が動く前と同じ画像をユーザに視認させることができる。
【００６２】
なお、実施例２では、ユーザの網膜３８に静止画の画像８０が投影されている場合を例に示したが、この場合に限られない。例えば動画の画像が投影されている場合でもよい。この場合、例えば瞳孔４０が右方向に所定の速さ以上で動いたときは動画の早送りを行い、左方向に所定の速さ以上で動いたときは動画の巻き戻しを行うようにしてもよい。瞳孔４０が上方向に所定の速さ以上で動いたときは動画を一時停止し、下方向に所定の速さ以上で動いたときは動画を停止させるようにしてもよい。例えばカメラからの画像が投影されている場合でもよい。この場合、例えばユーザの前方を撮影するカメラからの画像が投影されているときに、瞳孔４０が右方向に所定の速さ以上で動いたときはユーザの後方を撮影するカメラからの画像に切り替えてもよい。
【００６３】
なお、実施例２では、瞳孔４０が上下左右の方向に動いた場合に画像の内容について異なる制御を行う場合を例に示したが、上下左右の４方向の他にも複数の方向に動いた場合に画像の内容について異なる制御を行ってもよい。
【００６４】
なお、実施例２では、図９のステップＳ５６での画像の投影位置に関する制御において、瞳孔４０の移動距離に対して画像用光線３４ａの投射位置の移動距離を少なくさせてもよい。このような制御は、例えば複数の検出用光線３４ｂそれぞれに対して画像用光線３４ａの移動方向及び移動距離を定めたテーブル（図１４参照）を制御部２０などに予め記憶させておき、光検出器１８で検出されない検出用光線３４ｂと上記テーブルとから求めた移動方向及び移動距離に従って画像用光線３４ａの投射位置を移動させることで行うことができる。これにより、例えば静止画の端に書かれた文字などをユーザに見やすくさせることができる。なお、画像用光線３４ａの投射位置の移動距離を少なくさせない場合でも、図１４に示すようなテーブルを予め準備しておいて、当該テーブルを用いて画像用光線３４ａの投射位置を移動させてもよい。
【実施例３】
【００６５】
実施例３は、ユーザの網膜３８に投影される画像が、電子書籍を構成するページに対応した画像の場合の例である。実施例３に係る画像投影装置は、実施例１の図１と同じであるため説明を省略する。実施例３における制御部及び検出部の動作を示すフローチャートは、実施例２の図９と同じであるため説明を省略する。図１５は、実施例３における瞳孔の動きと画像の制御とを示す図である。図１５は、図９のステップＳ５４の制御を示している。
【００６６】
図１５のように、瞳孔４０が動く前においては、ユーザの網膜３８に電子書籍の２ページ目の画像８０が投影されていた場合に、瞳孔４０が右方向に所定の速さ以上で動いたときは、制御部２０は、電子書籍の３ページ目の画像８０に切り替える。瞳孔４０が左方向に所定の速さ以上で動いたときは、制御部２０は、電子書籍の１ページ目の画像８０に切り替える。
【００６７】
以上のように、実施例３によれば、ユーザの網膜３８に投影される画像は、電子書籍を構成するページに対応した画像である。制御部２０は、瞳孔４０が左右方向に所定の速さ以上で動いたときには電子書籍のページを捲る。これにより、ユーザは瞳を速く動かすことで電子書籍のページを捲ることができる。
【実施例４】
【００６８】
実施例４に係る画像投影装置は、実施例１の図１と同じであるため説明を省略する。図１６は、実施例４における制御部及び検出部の動作を示すフローチャートである。図１７は、実施例４においてユーザの網膜に投影される画像を示す図である。図１６のように、制御部２０は、例えば画像投影装置の起動時やユーザからの指示に応じて、複数のアイコンを含む画像をユーザの網膜３８に投影する（ステップＳ７０）。例えば、図１７のように、制御部２０は、１番〜９番のアイコン８２が３行３列で縦横に並んだ画像８０をユーザの網膜３８に投影する。
【００６９】
次いで、制御部２０は、検出部２６が瞳孔４０の動いた方向及び動きの速さを検出したか否かを判定する（ステップＳ７２）。検出部２６は、光検出器１８による検出用光線３４ｂの検出に基づいて、瞳孔４０が動いた方向及び瞳孔４０の動きの速さを検出する。瞳孔４０の動きが検出されない場合（ステップＳ７２：Ｎｏ）、制御部２０は、複数のアイコンのうちの初期設定のアイコンを選択する（ステップＳ７４）。例えば、図１７において、初期設定のアイコンが１番のアイコン８２である場合、制御部２０は１番のアイコン８２を選択する。なお、制御部２０は選択しているアイコンがユーザに分かるように、アイコンの色を変えたり、アイコンを点滅させたり、アイコンを丸印で囲んだりしてもよい。
【００７０】
瞳孔４０の動きが検出された場合（ステップＳ７２：Ｙｅｓ）、制御部２０は、画像用光線３４ａが瞳孔４０に投射されるように、投影部２４を制御する（ステップＳ７６）。ステップＳ７６は、実施例３の図９のステップＳ５６と同じ方法によって行う。これにより、ユーザは、瞳孔４０が動く前と同じ画像を視認できる。
【００７１】
次いで、制御部２０は、瞳孔４０の動いた方向及び動きの速さに応じたアイコンを選択する（ステップＳ７８）。例えば、図１７において、制御部２０は、瞳孔４０が左方向に動いた場合には２番のアイコンを選択し、瞳孔４０が所定の速さ以上で左方向に動いた場合には３番のアイコンを選択する。制御部２０は、瞳孔４０が上方向に動いた場合には４番のアイコンを選択し、瞳孔４０が所定の速さ以上で上方向に動いた場合には７番のアイコンを選択する。制御部２０は、瞳孔４０が左上方向に動いた場合には５番のアイコンを選択し、瞳孔４０が所定の速さ以上で左上方向に動いた場合には９番のアイコンを選択する。制御部２０は、瞳孔４０が所定の速さ以上で左方向に動いた後に上方向に動いた場合には６番のアイコンを選択し、瞳孔４０が所定の速さ以上で上方向に動いた後に左方向に動いた場合には８番のアイコンを選択する。
【００７２】
次いで、制御部２０は、ユーザからの指示に基づき、選択したアイコンを起動する（ステップＳ８０）。例えば、制御部２０は、検出部２６によってユーザの瞼３７が所定時間以上閉じたことが検出された場合に、選択したアイコンを起動する。
【００７３】
以上のように、実施例４によれば、図１７のように、ユーザの網膜３８に投影される画像は、複数のアイコン８２を含んだ画像８０である。制御部２０は、図１６のステップＳ７８のように、瞳孔４０の動いた方向及び動きの速さに応じて、複数のアイコン８２の中から１つのアイコンを選択する。これにより、ユーザは瞳の動かす方向及び速さを変えることだけで、複数のアイコンの中から１つのアイコンを選択することが可能となる。
【００７４】
なお、実施例４では、図１６のステップＳ７８において、瞳孔４０が動いた方向と反対方向のアイコンが選択される場合を例に示したが、瞳孔４０が動いた方向と同じ方向のアイコンが選択される場合でもよい。
【００７５】
なお、実施例３及び実施例４において、光検出器１８が複数の検出用光線３４ｂのうちの２つ又は２つ以上の検出用光線３４を検出しない場合、検出されない検出用光線３４ｂの間の中間の位置を求め、当該中間の位置の方向に、画像用光線３４ａの投射位置を移動させてもよい。
【００７６】
なお、実施例１から実施例４では、画像投影装置としてメガネ型のＨＭＤを例に説明したが、ＨＭＤ以外の画像投影装置でもよい。片方の眼球３６の網膜３８に画像を投影させる例を示したが、両方の眼球３６の網膜３８に画像を投影させてもよい。走査部として走査ミラーを例に説明したが、走査部は光線を走査可能であればよい。例えば、走査部として、電気光学材料であるタンタル酸ニオブ酸カリウム（ＫＴＮ）結晶など、その他の部品を用いてもよい。光線としてレーザ光を例に説明したが、レーザ光以外の光でもよい。
【００７７】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００７８】
１２  光源
１４  第１ミラー
１６  投射部
１８  光検出器
２０  制御部
２２  位置調整部
２４  投影部
２６  検出部
３４ａ  画像用光線
３４ｂ  検出用光線
３６  眼球
３７  瞼
３８  網膜
４０  瞳孔
４２  虹彩
８０  画像
８２  アイコン
１００  画像投影装置
【図１】
2017122775.tif 000003
【図２】
2017122775.tif 000004
【図３】
2017122775.tif 000005
【図４】
2017122775.tif 000006
【図５】
2017122775.tif 000007
【図６】
2017122775.tif 000008
【図７】
2017122775.tif 000009
【図８】
2017122775.tif 000010
【図９】
2017122775.tif 000011
【図１０】
2017122775.tif 000012
【図１１】
2017122775.tif 000013
【図１２】
2017122775.tif 000014
【図１３】
2017122775.tif 000015
【図１４】
2017122775.tif 000016
【図１５】
2017122775.tif 000017
【図１６】
2017122775.tif 000018
【図１７】
2017122775.tif 000019